(57)【要約】【課題】  二枚貝の種苗放流が多く実施されているが、その挙動予測が確立していないことから放流効果の評価ができず、適切な種苗放流や資源管理が難しいという問題点がある。【解決手段】  本発明では、二枚貝の生息条件・成長条件・移動条件を新たに考慮した平面的な二枚貝生息分布の予測手法を考案した。まず、対象二枚貝の生息・移動・成長条件を整理し、以下の式に組み込む。貝は掃流移動する砂と同様とみなし、粒径毎の漂砂量式に移動低減率、潜砂判別係数、貝比重、殻長の成長式を付加した。成長に伴う二枚貝の移動量は、この二枚貝の沿岸方向移動量式、岸沖方向移動量式を用い、資源量の保存則を考慮して二枚貝の資源変動量を算定する。なお資源量の保存則では、連続式に成長に伴う資源量増分項を付加し、粒径や泥分変化による生存判定式も加えた。以上を、粒径を考慮した等深線変化モデルと連動させることにより、二枚貝の生息分布の予測を可能とした。【選択図】図１
2009131234.tif 000002
【特許請求の範囲】
【請求項１】
図１に示すように、波浪諸元、初期海底地形、初期底質粒径、初期二枚貝稚貝分布量をコンピュータに入力し、まず対象海岸の波浪場の計算を行い、砕波点における波高・波向を求め、これらを外力条件として粒径毎の漂砂量を算定し、粒径毎の等深線変化量、全粒径の等深線変化量を算定し、次に、底質条件により二枚貝の潜砂および生存の判定を行い、成長に伴う二枚貝の移動量を算定して資源変動量を算定し、さらに、等深線変化に応じた粒径毎の含有率変化を算定し、予測時間に到達していなければ、算定した等深線、粒径毎の含有率、二枚貝の資源量を次ステップの初期値として繰り返し計算を行い、予測時間に達すれば最終的な等深線と二枚貝の資源量を算定することができる二枚貝の生息分布の予測手法。
【発明の詳細な説明】
【技術分野】
【０００１】  本発明は、海底に生息する二枚貝に関し、適切な種苗放流や資源管理を実施するために、二枚貝の平面的生息分布を予測する手法に関するものである。
【背景技術】
【０００２】  近年、全国各地で海岸侵食が進行し、同時に広域の海底面で底質粒径の変化が起こり、それが海の底生生物の生存に大きな影響を及ぼしている。中でも砂浜性の魚介類として有名で、鹿島灘や九十九里浜など緩勾配で細砂からなる海岸に生息するチョウセンハマグリ・コタマガイ・ウバガイといった二枚貝は市場価格が高く重要な漁獲対象物であるが、漁獲量の急激な減少が危惧されている。
【発明の開示】
【発明が解決しようとする課題】
【０００３】  このため二枚貝の種苗放流も多く実施されてはいるが、その挙動予測が確立していないことから放流効果の評価ができず、適切な種苗放流や資源管理が難しいという問題点がある。【０００４】  非特許文献１では、二枚貝の稚貝を対象とした縦断方向の移動予測モデルを開発したが、底質粒径や泥分の含有率が生存率に及ぼす影響や成長に伴う生息水深帯と移動機構の変化、潜砂行動さらには平面分布の変化の予測ができないという問題点がある。したがって、放流効果の評価は実用レベルに至っていない。
【非特許文献１】桑原久美・日向野純也・中村義治・三村信男著、「波浪による二枚貝の移動予測モデルの妥当性と移動機構に関する研究」、土木学会海岸工学論文集第４１巻、１９９４年、ｐ．３７６−３８０
【課題を解決するための手段】
【０００５】  そこで本発明では、二枚貝の生息条件・成長条件・移動条件を新たに考慮した平面的な二枚貝生息分布の予測手法を考案した。ここでは、外洋性二枚貝類のチョウセンハマグリ（以下、ハマグリ）を例に説明する。ハマグリは夏期に産卵され、幼生は浮遊期を経て汀線付近に着底し、成長に伴い沖合に分散・移動する。この貝は潜砂行動を除けば、波浪による掃流移動を常に強いられる。非特許文献２では、生息分布には化学的影響より物理的影響が大きいと指摘している。生態特性と波による移動特性を考慮すると、物理的観点からの生息・移動・成長条件は表１のように整理できる。これらを考慮してモデル化を行う。他の二枚貝についても、同様の表を作成すればモデル化可能である。ただし水温は予測モデルから除外する。まず非特許文献１に従いこの貝は掃流移動するとして貝を砂とみなし、非特許文献３の粒径に応じた漂砂量式に移動低減率、潜砂判別係数、貝比重、殻長の成長式を付加した。以下、（１）二枚貝の沿岸方向移動量式は表２の式群、（２）二枚貝の岸沖方向移動量式は表３の式群、（３）二枚貝資源量の保存則は表４の式群で表す。二枚貝の資源量には、連続式に成長に伴う資源量増分項を付加し、粒径や泥分変化による生存判定式を加えた。二枚貝資源量は漂砂量と同様、計算では体積表示（ｍ３／ｍ２）としているが、漁獲量は質量（ｔ）で表示されることから、単位水平面積あたりの質量（ｔ／ｍ２）に変換する。以上を、非特許文献３の地形・粒径変化モデルと連動させることによって二枚貝の生息分布の予測が可能となる。
【非特許文献２】日向野純也・木元克則・安永義暢著、「潜砂行動と物理環境の関係からみたチョウセンハマグリとコタマガイの分布特性」、水工研研報１４、１９９３年、ｐ．６５−８７
【非特許文献３】熊田貴之・宇多高明・芹沢真澄・三浦正寛著「波の遮蔽域形成に伴う３次元地形・粒径変化の予測法」、土木学会海洋開発論文集第２１巻、２００，５年、ｐ．１０２９−１０３４
【０００６】
【表１】
2009131234.tif 000003
【０００７】
【表２】
2009131234.tif 000004
【０００８】
【表３】
2009131234.tif 000005
【０００９】
【表４】
2009131234.tif 000006
【発明の効果】
【００１０】  本発明の二枚貝の生息分布予測手法は、従来不可能であった稚貝の放流後の挙動や、漁港や港湾など人工的な沿岸部開発および養浜に伴う二枚貝の生息分布の変化を事前に把握でき、成長に応じた資源の管理が可能となる。すなわち、世界で初めてあらゆる二枚貝の漁獲場所が特定できるツールとなる。二枚貝の資源が管理できれば、二枚貝による周辺の水質浄化機能も事前に評価できる。また、本手法はあらゆる二枚貝の増殖技術にも有効なツールとなる。
【発明を実施するための最良の形態】
【００１１】  本モデルを茨城県波崎海岸（非特許文献２）に適用した。初期地形は、深浅図より１／１６０の一様勾配とし、粒度組成は調査結果の平均値（０．０７５ｍｍ：５％、０．１０６ｍｍ：８０％、０．２５ｍｍ１５％）を全域に設定し、ハマグリは調査同様１０ｍｍの稚貝とし、初期資源量は実測の資源量となるよう調整した。初期分布位置は実測より−１ｍ〜−２ｍとした。なお対象海岸では泥分６．１４％以上はハマグリが確認できなかったため、６．１４％以上の泥分で死滅させた。また本計算では対象範囲がほとんど泥分１０％未満のため、定着させず移動させた。【００１２】  図２に実測等深線、図３に０．０７５ｍｍ未満の泥分の等分布線（実測）、図４に１０ｍｍ未満のハマグリ稚貝の平面分布（実測）を示す。波崎漁港の防波堤内では、波の遮蔽域が形成され、防砂突堤左側の波の遮蔽域外から遮蔽域内へと沿岸漂砂が生じ等深線が前進している。これと連動して遮蔽域内では泥分が多く分布し、防砂突堤の左側では泥分量は少ない。これは、沿岸漂砂が生じる際、細かい泥分が選択的に防砂突堤左側より流出し、防波堤内で堆積したものと考えられる。ハマグリは主に−１ｍ〜−２ｍに分布し、泥分の多い場所では生息していない。図５に再現等深線、図６に０．０７５ｍｍ未満の泥分の等分布線（再現）、図７に１０ｍｍ未満のハマグリ稚貝の平面分布（再現）を示す。計算領域左側境界は漂砂・ハマグリが流入しうる固定境界とした。等深線は波の遮蔽域に近づくと前進し、防砂突堤による等深線の不連続など実測傾向を良く再現している。泥分は、オーダーに違いはあるが計算領域右端部に多く分布し、防砂突堤の右側では少ない実測の沿岸分級の傾向が再現されている。計算では防砂突堤の左側区域でも右側区域と同様の傾向であるが実際とは異なる。実際は防波堤内（右側区域）に多くの泥分が流入した後に防砂突堤が設置されたため、突堤の左側区域では相対的に泥分量は少ない。計算では初期から突堤を設置したため、多くの泥分がトラップされたと考えられる。時系列的な構造建設を施せば、再現性は高まると考えられる。予測された稚貝分布は、実測同様−１ｍ〜−２ｍを中心に多く移動しながら分布し、さらに泥分の多い場所では実測同様分布せず、移動機構のみならず生息条件の範囲もしっかり反映され再現できている。
【産業上の利用可能性】
【００１３】  本手法は、実海岸で良好な再現結果を得ることができ、二枚貝資源に対する放流効果の評価が可能となり、適切な種苗放流や資源管理が可能になる。特に二枚貝の生息範囲が世界で初めて分かることから、あらゆる二枚貝の漁獲場所が特定できる点が水産業の分野において大きな意味を持つ。また、本手法はあらゆる二枚貝の増殖技術にも有効なツールとなる。さらに、漁港や港湾など人工的な沿岸部開発および養浜に伴う二枚貝の生息分布の変化を事前に把握でき、土木建設分野においても環境影響評価が可能となる。二枚貝の資源が管理できれば、二枚貝による周辺の水質浄化機能も事前に評価できる。
【図面の簡単な説明】
【００１４】
【図１】計算プログラムフローチャートを示す図である。
【図２】波崎漁港周辺の実測等深線（１９８１年）を示す図である。
【図３】泥分（０．０７５ｍｍ未満）の等分布線を示す図である。
【図４】ハマグリ稚貝（１０ｍｍ未満）の平面分布（個／ｍ２）を示す図である。
【図５】再現等深線を示す図である。
【図６】再現された泥分（０．０７５ｍｍ未満）の等分布線を示す図である。
【図７】再現されたハマグリ稚貝（１０ｍｍ未満）の平面分布（個／ｍ２）を示す図である。
【図１】
2009131234.tif 000007
【図２】
2009131234.tif 000008
【図３】
2009131234.tif 000009
【図４】
2009131234.tif 000010
【図５】
2009131234.tif 000011
【図６】
2009131234.tif 000012
【図７】
2009131234.tif 000013